(57)【要約】【課題】  本発明はどんな人にでも自分で選び、食する喜びが持てる、安全で、安価な、常に栄養も心も豊かになる食事を提供することができる食品の宅配システムを得るにある。【解決手段】  ユーザーがインターネットにより、食品受発注センターの事業所編、病院編、外食編、ダイエット編、在宅介護編等の分野を選択した後、今週のメニューから好みに合わせた食品メニューを選択し注文する食事の注文工程と、この食事の注文工程で注文された食事メニューをレストランで製造し、冷凍パック化あるいは素材が傷まぬように保存した食品をエンゼルボックスへ発送する食事の製造工程と、この食事の製造工程で製造された食品をエンゼルボックスで必要に応じて解凍・加熱してユーザーへ、ユーザーの家族が所属するパートの配達員が宅配する宅配工程とで食品の宅配システムを構成している。【選択図】  図２
2008026940.tif 000002
【特許請求の範囲】
【請求項１】
ユーザーがインターネットにより、食品受発注センターの事業所編、病院編、外食編、ダイエット編、在宅介護編等の分野を選択した後、今週のメニューから好みに合わせた食品メニューを選択し注文する食事の注文工程と、この食事の注文工程で注文された食事メニューをレストランで製造し、冷凍パック化あるいは素材が傷まぬように保存した食品をエンゼルボックスへ発送する食事の製造工程と、この食事の製造工程で製造された食品をエンゼルボックスで必要に応じて解凍・加熱してユーザーへ、ユーザーの家族が所属するパートの配達員が宅配する宅配工程とを含むことを特徴とする食品の宅配システム。
【請求項２】
複数あるいは多数の人よりとりまとめることができる団体ユーザーの代表者が、インターネットにより食品受発注センターの事業所編、病院編、外食編、ダイエット編、在宅介護編等の分野を選択した後、今週のメニューから注文のあった食品メニューを選択し、注文する食事の注文工程と、この食事の注文工程で注文された食事メニューをレストランで製造し、冷凍パック化あるいは素材が傷まぬように保存した食品をエンゼルボックスあるいは団体ユーザーへ発送する食事の製造工程と、この食事の製造工程で製造された食品をエンゼルボックスあるいは団体ユーザーで、必要に応じて解凍・加熱して団体ユーザーの家族が所属するパートの配達員が個別のユーザーへ宅配する宅配工程とを含むことを特徴とする食品の宅配システム。
【発明の詳細な説明】
【技術分野】
【０００１】
本発明は夫婦共働きの家庭、単身赴任者、ダイエット中の方、アレルギー体質の方、老人の在宅介護者、老人ホーム等の入所者、旅館の宿泊者、病院の入院患者、工場や事業所等の従業者へ、自分で選び、食する喜びが持てるような、安全で、安価な食事を的確に提供することができる食品の宅配システムに関する。
【背景技術】
【０００２】
従来、独居老人宅や高齢者宅への食事の配食サービスが行なわれている。
【０００３】
しかしながら、この食事の配食サービスは食事のメニューが限定され、食する人が常に栄養も心も豊かになれるような状況にはなっていないという欠点があった。
【特許文献１】特になし
【発明の開示】
【発明が解決しようとする課題】
【０００４】
本発明は以上のような従来の欠点に鑑み、どんな人にでも自分で選び、食する喜びが持てる、安全で、安価な、常に栄養も心も豊かになる食事を提供することができる食品の宅配システムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はユーザーがインターネットにより、食品受発注センターの事業所編、病院編、外食編、ダイエット編、在宅介護編等の分野を選択した後、今週のメニューから好みに合わせた食品をメニュー選択し注文する食事の注文工程と、この食事の注文工程で注文された食事メニューをレストランで製造し、冷凍パック化あるいは素材が傷まぬように保存した食品をエンゼルボックスへ発送する食事の製造工程と、この食事の製造工程で製造された食品をエンゼルボックスで必要に応じて解凍・加熱してユーザーへ、ユーザーの家族が所属するパートの配達員が宅配する宅配工程とで食品の宅配システムを構成している。
【発明の効果】
【０００７】
以上の説明から明らかなように、本発明にあっては次に列挙する効果が得られる。
【０００８】
（１）ユーザーがインターネットにより、食品受発注センターの事業所編、病院編、外食編、ダイエット編、在宅介護編等の分野を選択した後、今週のメニューから好みに合わせた食品をメニュー選択し注文する食事の注文工程と、この食事の注文工程で注文された食事メニューをレストランで製造し、冷凍パック化あるいは素材が傷まぬように保存した食品をエンゼルボックスへ発送する食事の製造工程と、この食事の製造工程で製造された食品をエンゼルボックスで必要に応じて解凍・加熱してユーザーへ、ユーザーの家族が所属するパートの配達員が宅配する宅配工程とからなるので、ユーザーが事業所編、病院編、外食編、ダイエット編、在宅介護編等の分野を選択して、そのうちの今週のメニューから食事のメニューを選択することができる。
したがって、ユーザーが食する喜びが持てる食事をすることができる。
【０００９】
（２）前記（１）によって、注文工程で注文された食事メニューをレストランで製造し、冷凍パック化あるいは素材が傷まぬように保存するので、安全で、安価で十分な栄養も得られる食品にできる。
【００１０】
（３）前記（１）によって、エンゼルボックスよりユーザーの家族が所属するパートの配達員がユーザーへ宅配するので、介護する家族は介護とともに宅配によるパート収入を得ることができる。
【００１１】
（４）前記（１） によって、あらゆる分野の食事の注文を受けることができるので、規模の拡大を図ることができ、効率よく食事の食品を作ることができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図３に示す本発明を実施するための最良の第１の形態において、１は本発明の食品の宅配システムで、この食品の宅配システム１は夫婦共働きの家庭、単身赴任者、ダイエット中の方、アレルギー体質の方、生活習慣病の方、老人の在宅介護者等のユーザー２が、ユーザー宅のパソコン３を用いてインタ−ネットにより食品受発注センター４にアクセスし、病人編、外食編、ダイエット編、在宅介護編等の分野５に分類された分野のいずれかを選択した後、今週のメニュー６から好みに合わせた食品メニュー７を選択し注文する食事の注文工程８と、この食事の注文工程８で注文された食事メニュー７をレストラン９で製造し、冷凍パック化あるいは素材が傷まぬように保存した食品１０を配送センターとしてのエンゼルボックス１１へ発送する食事の製造工程１２と、この食事の製造工程１２で製造された食品をエンゼルボックス１１で必要に応じて解凍・加熱してユーザー２へ、ユーザーの家族が所属するパートの配達員１３が宅配する宅配工程１４とで構成されている。
【００１５】
前記注文工程８はユーザー２が食品受発注センター４にパソコン３を用いてインターネットでアクセスすると、図３に示すように分野５の画面が表示される。
この分野５の画面を見て、ユーザー２が該当する分野を選択すると、その選択した分野の今週のメニュー６が表示される。この今週のメニュー６を見て、ユーザー２が好みの食品のメニュー７を選択すると、注文画面１５が表示され、注文の選択で注文が完了する。
【００１６】
前記食事の製造工程１２は食品受発注センター４に併設された、あるいは別に設けられたレストラン９へ発注され、該レストラン９ではあらかじめ栄養管理士が作成した食事箋に基づいて今週のメニュー６の食事を、該当日に宅配できるように製造する。
【００１７】
上記構成の食品の宅配システム１はユーザー２が、ユーザー２の好みの食事を今週のメニュー６から選択できるので、ユーザー２が食事をする喜びが持てる食事を行なうことができるとともに、宅配される食事の食品はレストラン９で製造され、安全で、安価で十分な栄養が得られる。
介護の家族は介護者の毎日の健康を気にしながら食事を作らなくてもよく、介護負担を軽減でき、配達員１３としてパートで働くことでパート収入を得ることができる。
[発明を実施するための異なる形態]
【００１８】
次に、図４ないし図９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図４ないし図６に示す本発明を実施するための第２の形態において、前記本発明を実施するための最良の第１の形態と主に異なる点は、複数あるいは多数の人よりとりまとめることができる老人ホーム、グループホーム等の入所者、旅館の宿泊者、病院の入院患者、工場・事業所等の従業者等の団体ユーザー２Ａの代表者が食事の注文工程８Ａを行なうとともに、この食事の注文工程８Ａで注文された食事メニュー６をレストラン９で製造し、エンゼルボックス１１へ発送する食事の製造工程１２および団体ユーザー２Ａへ宅配する宅配工程１４とを行なった点で、このような各工程８Ａ、１２、１４を用いて構成した食事の宅配システム１Ａにしても、前記本発明を実施するための最良の第１の形態と同様な作用効果が得られる。
なお、宅配工程１４は団体ユーザー２Ａの指定する場所へのまとめた宅配や配達員１３が団体ユーザー２Ａの個々のユーザー２の所まで配達する場合のいずれかの方法で行なわれる。
【００２０】
図７ないし図９に示す本発明を実施するための第３の形態において、前記本発明を実施するための第２の形態と主に異なる点は、団体ユーザー２Ａが工場、旅館、事業所等の多数の人がユーザーである場合に、レストラン９で製造された食品を直接団体ユーザー２Ａへ配送する食事の製造工程１２Ａと、この食事の製造工程１２Ａで配送された食品を個別のユーザー２へ宅配する宅配工程１４Ａを行なった点で、このような食事の製造工程１２Ａや宅配工程１４Ａを用いた食品のシステム１Ｂにしても、前記本発明を実施するための第２の形態と同様な作用効果が得られる。
【産業上の利用可能性】
【００２１】
本発明は食事を宅配する産業で利用される。
【図面の簡単な説明】
【００２２】
【図１】本発明を実施するための最良の第１の形態の工程図。
【図２】本発明を実施するための最良の第１の形態の概略説明図。
【図３】本発明を実施するための最良の第１の形態の注文の説明図。
【図４】本発明を実施するための第２の形態の工程図。
【図５】本発明を実施するための第２の形態の概略説明図。
【図６】本発明を実施するための第２の形態の注文の説明図。
【図７】本発明を実施するための第３の形態の工程図。
【図８】本発明を実施するための第３の形態の概略説明図。
【図９】本発明を実施するための第３の形態の注文の説明図。
【符号の説明】
【００２３】
１、１Ａ、１Ｂ：食品の宅配システム、
２、２Ａ：ユーザー、                    ３：パソコン、
４：食品受発注センター、                        ５：分野、    
６：今週のメニュー、                    ７：食品のメニュー、
８、８Ａ：注文工程、                    ９：レストラン、
１０：食品、                                                １１：エンゼルボックス、
１２、１２Ａ：食事の製造工程、１３：配達員、
１４、１４Ａ：宅配工程、                        １５：注文画面。
【図１】
2008026940.tif 000003
【図２】
2008026940.tif 000004
【図３】
2008026940.tif 000005
【図４】
2008026940.tif 000006
【図５】
2008026940.tif 000007
【図６】
2008026940.tif 000008
【図７】
2008026940.tif 000009
【図８】
2008026940.tif 000010
【図９】
2008026940.tif 000011